(57)【要約】      （修正有）【課題】果物や野菜、花卉等の生鮮物を包装する際、適度な通気性と保湿性を確保しつつ、簡便な包装作業によって鮮度を損なうことなく保存できる包装袋を提供する。【解決手段】袋部２０および一対の閉止部３０は、不織布のような通気性を有する柔軟な素材で形成されている。不織布で形成された袋部は、通気性・保湿性を兼ね備えている上、指紋や汚れが付着しても目立たないので清潔感・高級感を損なわず、デザイン的にも良好である。また、閉止部３０は、開口の周縁を底辺とする三角形状をなし、各閉止部の底辺の長さの総和が、周縁の長さと一致するように形成されている。【選択図】図１
0003197546.tif 000002
【実用新案登録請求の範囲】
【請求項１】
果物や野菜、花卉等の生鮮物を包装する包装袋であって、
上部に開口を有し、前記生鮮物を囲繞するようにして収納する袋部と、
前記開口の周縁から外方に向けて突出された一対の閉止部と
から構成され、
前記袋部及び前記閉止部が通気性を有する柔軟な素材で形成されている
ことを特徴とする包装袋。
【請求項２】
前記一対の閉止部は、前記開口の周縁を底辺とする三角形状をなし、  各閉止部の底辺の長さの総和が、前記周縁の長さと一致することを特徴とする請求項１に記載の包装袋。
【請求項３】
柔軟性を有し、伸縮自在の網状の素材で形成され、前記生鮮物が収納された状態の前記袋部の外表面を覆うようにして装着される外表保護部材をさらに備えることを特徴とする請求項１又は２に記載の包装袋。
【考案の詳細な説明】
【技術分野】
【０００１】
本考案は、果物や野菜、花卉等の生鮮物を包装する包装袋に関する。
【背景技術】
【０００２】
従来から、食品を販売する際の包装袋には、衛生的かつ、湿気・空気に対する遮断性に優れた合成樹脂やセロハンといった素材が使用されてきた。このような包装袋は包装物の保存性に優れたものであるが、適度な通気性と保湿性を要する生鮮物の包装袋として用いると、かえって早期に包装物の鮮度を低下させてしまう。すなわち、生鮮物は呼吸によって鮮度を維持するため、包装によって通気性を妨げられると早期に劣化する。また、洋梨やバナナ等のように、エチレンガスが発生してさらに過熟が進むと、肉質が軟化して商品価値が下落するという問題が指摘されてきた。
【０００３】
このような問題を解決するため、外装部材と内装部材を重ね合わせた略長方形の包装材を、内装部材を内側にして２つ折りにし、対向する一端を開口部とし、両側端を溶着して袋状に形成された包装袋が考案されている（特許文献１）。この考案では、外装部材と内装部材が重合した任意の箇所をスルーホールされた複数個の熱穴によって溶着することにより通気性と接着を兼ね備えた包装袋が開示されている。
【先行技術文献】
【特許文献】
【０００４】
【特許文献１】実用新案登録３１２５６７９号公報
【考案の概要】
【考案が解決しようとする課題】
【０００５】
しかしながら、上記特許文献１に開示された包装袋では、通気性は確保されているものの、外装部材と内装部材を重ね合わせた包装材を袋状に形成しているため、素材が強ついて嵩張るとともに、内容物を包装するために包装用機械を用いなければならずパッキングコストが増大する。さらに、この包装袋は、食品等の包装の意匠的としては機能的に過ぎることから、デザイン性の関係から利用範囲が自ずと限定される可能性がある。
【０００６】
本考案は、適度な通気性と保湿性を確保しつつ、簡便な包装作業によって生鮮物の鮮度を損なうことなく保存できる包装袋を提供することを目的とする。
【課題を解決するための手段】
【０００７】
本願に係る考案は上記課題を解決すべくなされたものであり、請求項１に係る考案は、果物や野菜、花卉等の生鮮物を包装する包装袋であって、上部に開口を有し、前記生鮮物を囲繞するようにして収納する袋部と、前記開口の周縁から外方に向けて突出された一対の閉止部とから構成され、前記袋部及び前記閉止部が通気性を有する柔軟な素材で形成されていることを特徴とする包装袋を特徴とするものである。このような請求項１に係る考案によれば、適度な通気性と保湿性が確保され、生鮮物の鮮度をそこなうことなく保存することができる。また、生鮮物を袋部に収納した後に閉止部を結び止めるだけで足るため、機械を使用せずに手作業にて容易に袋詰めすることができ、パッキングコストを低下させることができる。また、見栄えも良く高級感を呈することができるので、顧客の購買意欲を促進することができる。
【０００８】
請求項２に係る考案は、前記一対の閉止部は、前記開口の周縁を底辺とする三角形状をなし、各閉止部の底辺の長さの総和が、前記周縁の長さと一致することを特徴とする請求項１に記載の包装袋を特徴とするものである。このような請求項２に係る考案によれば、包装袋の意匠に一体感を持たせ、高級感を呈することができる。また、閉止部に十分な強度があり、生鮮物の重みによって閉止部が破損することが防ぐことができる。
【０００９】
請求項３に係る考案は、柔軟性を有し、伸縮自在の網状の素材で形成され、前記生鮮物が収納された状態の前記袋部の外表面を覆うようにして装着される外表保護部材をさらに備えることを特徴とする請求項１又は２に記載の包装袋を特徴とするものである。このような請求項３に係る考案によれば、輸送中や小売店舗での陳列中に、生鮮物が損傷することを防ぐことができる。
【考案の効果】
【００１０】
以上述べたように、この考案によれば、果物や野菜、花卉等の生鮮物を包装する際、適度な通気性と保湿性を確保しつつ、簡便な包装作業によって生鮮物の鮮度を損なうことなく保存できる。
【図面の簡単な説明】
【００１１】
【図１】本考案に係る包装袋の一実施形態を示す斜視図である。
【図２】図１の包装袋の正面図である。
【図３】本考案に係る包装袋の使用状態の一例を示す斜視図である。
【考案を実施するための形態】
【００１２】
以下に添付図面を参照して、本考案に係るシステムの実施形態を詳細に説明する。図１は、本考案に係る包装袋の一実施形態を示す斜視図である。図２は、図１の包装袋の正面図である。図３は本考案に係る包装袋の使用状態の一例を示す斜視図である。
【００１３】
（包装袋の構成）
本実施形態に係る包装袋１０は、図１および図２に示したように、生鮮物５０を包み込むように囲繞して収納する袋部２０と、前記袋部２０の上部周縁２２から外方（上方）に向けて突出された一対の閉止部３０とを有している。
【００１４】
前記袋部２０および一対の閉止部３０は、通気性を有する柔軟な素材で形成され、たとえば、不織布のような素材を用いることができる。この不織布で形成された袋部２０では、通気性・保湿性を兼ね備えている上、指紋や汚れが付着しても目立たないたずに清潔感・高級感を損なわず、また、デザイン的にも良好である。また、閉止部３０は、本実施形態では、開口２１の周縁２２を底辺とする三角形状をなし、各閉止部３０の底辺の長さの総和が、前記周縁２２の長さと一致するように形成されている。
【００１５】
そして、本実施形態では、袋部２０と閉止部３０は一体的に形成することができ、袋部２０に生鮮物５０を収納し、その上部で一対の閉止部３０を結ぶことにより、上部開口２１を閉止し、緩やかに生鮮物５０を囲繞することができる。
【００１６】
外表保護部材４０は、柔軟性を有し、伸縮自在の網状の素材で形成され、前記生鮮物５０が収納された状態の前記袋部２０の外表面を覆うようにして装着される。たとえば、高圧ポリエチレン製の発泡ネットのような素材であれば、クッション性に優れた上にかさばることがなく、複数の生鮮物を段ボール箱に梱包して貯蔵・運送する際にも、通気性・保湿性を確保したまま効率良く梱包することができ、生鮮物同士の衝突によって損傷することを防ぐことができる。
【００１７】
（作用・効果）
このような構成の本実施形態によれば、一枚の素材を折り畳むことのみによって形成することも可能であるし、四角形の生地の上端を三角形に切り抜くことによって、閉止部３０を形成することができる。また、重みに対する強度もあり、たとえばスイカやメロンのような重量感のある生鮮物を包装する場合、重みによって包装袋が破損することを防ぐことができる。
【００１８】
また、包装する生鮮物がメロン・洋梨・バナナ等のように、未熟な状態で収穫されて出荷・運搬・貯蔵・販売等の過程において成熟を進行させる、いわゆる追熟を要するような生鮮物である場合、不織布のような素材であれば、中身の生鮮物の色が透けて視認できるため、色の変化によって追熟の進行具合を確認することができる。たとえば洋梨であれば、収穫直後は緑が濃いが、成熟が進むほどに黄色がかってくる。包装した状態で成熟具合が確認できるため、販売者としてはちょうど良い頃合いの生鮮物を選定して店舗に並べることができるし、過熟して商品としての価値を失った生鮮物を店舗に並べることなく除外することもできる。購入者としては自分の好みの成熟具合の生鮮物を選んで購入することができる。
【００１９】
さらに、不織布であれば、香りも外部から感知することができるので、香りによっても同様に成熟具合が確認できる。たとえば洋梨であれば、収穫直後は無臭であるのに対し、成熟が進むにつれて香りを放つようになる。従って、販売者・購入者ともに香りの有無によって生鮮物の成熟具合を確認できる。
【符号の説明】
【００２０】
１０…包装袋
２０…袋部
２１…開口
２２…周縁
２７…平成
３０…閉止部
４０…外表保護部材
５０…生鮮物
【図１】
0003197546.tif 000003
【図２】
0003197546.tif 000004
【図３】
0003197546.tif 000005